(57)【要約】【課題】適当の位置にデジタル製品を安定的に固定することが可能であり、平坦な箇所に置くことが可能な挟持具を提供する。【解決手段】第１挟持アーム１０、第２挟持アーム２０、調整ねじ３０、固定ユニット４０、および位置決めナット３２を備える。第１挟持アーム１０は、第１端部１１を有する。第２挟持アーム２０は、第１挟持アーム１０に枢着されており、第２端部２１を有する。調整ねじ３０は、第１挟持アーム１０と第２挟持アーム２０との間に回転可能に設けられており、第１端部１１および第２端部２１により品物を挟むよう第１挟持アーム１０と第２挟持アーム２０との相対回転角度を調整する。固定ユニット４０は、一端が第２挟持アーム２０に設けられており、他端がデジタル製品と結合可能である。位置決めナット３２は、調整ねじ３０に螺着されている。【選択図】図１
0003191122.tif 000002
【実用新案登録請求の範囲】
【請求項１】
第１端部を有する第１挟持アームと、
前記第１挟持アームに枢着されており、第２端部を有する第２挟持アームと、
前記第１挟持アームと前記第２挟持アームとの間に回転可能に設けられており、前記第１端部および前記第２端部により品物を挟むよう前記第１挟持アームと前記第２挟持アームとの相対回転角度を調整する調整ねじと、
一端が前記第２挟持アームに設けられており、他端がデジタル製品と結合可能である固定ユニットと、
前記調整ねじに螺着されている位置決めナットと、
を備えることを特徴とする挟持具。
【請求項２】
前記第１挟持アームは、連接端を有し、
前記調整ねじは、前記第２挟持アームと前記連接端との間に設けられていることを特徴とする請求項１に記載の挟持具。
【請求項３】
前記第２挟持アームに結合部が設けられており、前記結合部にねじ軸が設けられており、前記ねじ軸に前記固定ユニットが螺合されていることを特徴とする請求項２に記載の挟持具。
【請求項４】
前記第１端部に第１挟持ブロックが枢着されており、前記第２端部に第２挟持ブロックが枢着されており、前記第１挟持ブロックおよび前記第２挟持ブロックのうち少なくとも一方に、挟持面が設けられていることを特徴とする請求項１に記載の挟持具。
【請求項５】
支持部をさらに備え、
前記支持部は、前記第１挟持アームに脱着可能に結合されており、前記調整ねじの前記第２挟持アームから遠ざかった端部に調整ハンドルが設けられていることを特徴とする請求項１に記載の挟持具。
【考案の詳細な説明】
【技術分野】
【０００１】
本考案は、挟持具に関し、特に、適当の位置にデジタル製品を安定的に固定することが可能な挟持具に関するものである。
【背景技術】
【０００２】
ユーザの期待を満足するために、デジタル製品（例えばデジタルカメラ、スマートフォン及びタブレットＰＣなど）は、軽薄短小となっている傾向に発展している。
【０００３】
デジタルカメラは、デジタル一眼レフカメラ、デジタル小型一眼レフカメラ、一般的なデジタルカメラなどがある。これらのタイプのデジタルカメラは、機能が異なり、体積及び関連のアクセサリーも異なる。しかし、ユーザは風景写真や団体写真などを撮りたいときには、三脚によってデジタルカメラを固定することが一般的である。しかし、従来の三脚は、体積が大きいため、収納及び携帯が極めて不便であり、平坦な床面だけに置くことが可能であり、そして外力を受けると倒れるおそれがある。
【考案の概要】
【考案が解決しようとする課題】
【０００４】
本考案の主な目的は、適当の位置にデジタル製品を安定的に固定することが可能であり、平坦な箇所に置くことが可能な挟持具を提供することにある。
【課題を解決するための手段】
【０００５】
本考案の挟持具は、第１挟持アーム、第２挟持アーム、調整ねじ、固定ユニット、および位置決めナットを備える。第１挟持アームは、第１端部を有する。第２挟持アームは、第１挟持アームに枢着されており、第２端部を有する。調整ねじは、第１挟持アームと第２挟持アームとの間に回転可能に設けられており、第１端部および第２端部により品物を挟むよう第１挟持アームと第２挟持アームとの相対回転角度を調整する。固定ユニットは、一端が第２挟持アームに設けられており、他端がデジタル製品と結合可能である。位置決めナットは、調整ねじに螺着されている。
【０００６】
本考案の挟持具によると、第１挟持アームは連接端を有し、調整ねじは、第２挟持アームと連接との間に設けられている。
【０００７】
本考案の挟持具によると、第２挟持アームに結合部が設けられており、結合部にねじ軸が設けられており、ねじ軸に固定ユニットが螺合されている。
【０００８】
本考案の挟持具によると、第１端部に第１挟持ブロックが枢着されており、第２端部に第２挟持ブロックが枢着されており、第１挟持ブロックおよび第２挟持ブロックのうち少なくとも一方に挟持面が設けられている。
【０００９】
本考案の挟持具によると、支持部をさらに備える。支持部は、第１挟持アームに脱着可能に結合されており、調整ねじの第２挟持アームから遠ざかった端部に調整ハンドルが設けられている。
【００１０】
本考案の挟持具によれば、適当の位置にデジタル製品を安定的に固定することが可能であり、利用したくないときに、平坦な箇所に置くことが可能であるという効果を有する。
【図面の簡単な説明】
【００１１】
【図１】本考案の一実施形態の挟持具を示す斜視図である。
【図２】本考案の一実施形態の挟持具を示す分解斜視図である。
【図３】本考案の一実施形態の挟持具を示す断面図である。
【図４】本考案の一実施形態の挟持具を示す断面図であって、挟持ブロックが互いに当接している。
【図５】本考案の一実施形態の挟持具の使用状態を示す図である。
【図６】本考案の一実施形態の使用状態を示す図である。
【図７】本考案の一実施形態の挟持具の支持部が第１挟持アームに結合されている状態を示す斜視図である。
【考案を実施するための形態】
【００１２】
（一実施形態）
以下、本考案の実施形態を図面に基づいて説明する。
図１から図３を参照する。図１は本考案の一実施形態による挟持具の組合済み状態を示す斜視図であり、図２は本考案の一実施形態を示す分解斜視図であり、図３は本考案の一実施形態を示す断面図である。本考案の一実施形態の挟持具１００は、第１挟持アーム１０と、第２挟持アーム２０と、調整ねじ３０と、固定ユニット４０と、支持部５０と、を備える。
【００１３】
第１挟持アーム１０は、互いに対称して平行する金属シート１０ａ、１０ｂから構成され、金属シート１０ａ、１０ｂが互いに結合している。第１挟持アーム１０は、第１端部１１と、連接端１２と、を有する。第１端部１１に第１挟持ブロック１３が枢着されている。第１挟持ブロック１３には、少なくとも一つの挟持面１３１と、Ｘ字形を呈する少なくとも一つの挟持溝１３２と、が設けられている。挟持面１３１に皺が形成られている。第１端部１１と連接端１２の間には、結合軸１４が設けられている。ブッシュ１５は、連接端１２に回転可能に設けられており、ねじ穴１５１を有する。
【００１４】
第２挟持アーム２０は、互いに対称して平行する金属シート２０ａ、２０ｂから構成され、金属シート２０ａ、２０ｂが互いに結合している。第２挟持アーム２０は、第２端部２１と、枢着端２２と、を有する。第２端部２１に第２挟持ブロック２３が枢着されている。第２挟持ブロック２３には、少なくとも一つの挟持面２３１と、Ｘ字形を呈する少なくとも一つの挟持溝２３２と、が設けられている。挟持面２３１に皺が形成されている。第２挟持ブロック２３の構成は第１挟持ブロック１３の構成と同じである。第２挟持アーム２０の枢着端２２は、第１挟持アーム１０に枢着されており、特に、結合軸１４と連接端１２の間に枢着されている。第２挟持アーム２０に位置決め軸２４が設けられている。第２挟持アーム２０の第２端部２１に近接する箇所では、結合部２５が設けられている。結合部２５の上面にねじ軸２５１が設けられている。
【００１５】
調整ねじ３０は、ブッシュ１５のねじ穴１５１と螺合して、位置決め軸２４に回転自在に設けられている。このように、調整ねじ３０は、第２挟持アーム２０と連接端１２の間に回転可能に設けられており、第２挟持アーム２０は第１挟持アーム１０に対して旋回することが可能である。これにより、第１挟持ブロック１３と第２挟持ブロック２３は、互いに近接して品物を挟むことが可能である。調整ねじ３０の第２挟持アーム２０から遠ざかった端部に調整ハンドル３１が設けられている。調整ハンドル３１により、調整ねじ３０の操作が容易となる。調整ねじ３０のブッシュ１５に近接する箇所では、位置決めナット３２が設けられている。位置決めナット３２をブッシュ１５に押付けているときに、調整ねじ３０はブッシュ１５に対して回転することができない。
【００１６】
固定ユニット４０は、一端が第２挟持アーム２０に設けられており、他端がデジタル製品と結合することが可能である。固定ユニット４０は、スリーブ４１と、ボールスタッド４２と、位置決めユニット４３と、第１固定ボルト４４と、を含む。スリーブ４１は、結合端と、縮径端と、を有する。前記縮径端は欠け口４１１を有する。ボールスタッド４２は、一端にボール部４２１が設けられており、スリーブ４１に嵌め設けられている。このように、ボール部４２１は、欠け口４１１に合わせられており、欠け口４１１から離脱することができず、ボールスタッド４２はスリーブ４１に対して旋回可能である。位置決めユニット４３は、一端がねじ軸２５１に螺着されており、他端が凹部４３１を有し、凹部４３１がボール部４２１に押付ける。位置決めユニット４３は環状係止溝４３２を有する。第１固定ボルト４４は、スリーブ４１と螺合して環状係止溝４３２に選択的に係止すると、ボールスタッド４２のスリーブ４１に対する姿勢を固定することが可能である。
【００１７】
固定ユニット４０は、更に、固定リング４５と、第１ねじ部材４６と、第２ねじ部材４７と、載置部材４８と、第２固定ボルト４９と、を含む。第１ねじ部材４６は、固定リング４５を挿通してボールスタッド４２のねじ穴４２２にねじ込む。このように、固定リング４５はボールスタッド４２と連接する。載置部材４８は固定リング４５に嵌め設けられている。第２ねじ部材４７は、その方向が第１ねじ部材４６の方向と反対し、載置部材４８の貫通孔４８１を挿通して螺旋を露呈する。第２ねじ部材４７は、デジタル製品と螺合することが可能である。第２固定ボルト４９は、固定リング４５のねじ穴４５１と螺合して、載置部材の周面に選択的に係止することが可能である。このように、載置部材４８は固定リング４５から離脱することができない。
【００１８】
支持部５０は、条状を呈し、その中央に十字形を呈する溝５１が設けられている。溝５１の両側に位置決め溝５２がそれぞれ設けられている。支持部５０の溝５１を結合軸１４に結合して、二つの位置決め溝５２に金属シート１０ａ、１０ｂを係合することにより、支持部５０は、横方向又は縦方向に沿って配されることが可能であり、第１挟持アーム１０に脱着可能に結合することが可能である。支持部５０が横方向に沿って配されているときに、プラットフォームに挟持具１００を安定的に置くことが可能であり、そして位置決めナット３２をブッシュ１５に押付けることにより、挟持具１００に結合されているデジタル製品を安定的に固定することが可能である。
【００１９】
図４を参照する。調整ねじ３０の調整ハンドル３１を回転することにより、調整ねじ３０はブッシュ１５に対して回転することが可能である。このように、調整ねじ３０は連接端１２に対して変位する。調整ねじ３０を時計方向に回転すると、調整ねじ３０の末端が第２挟持アーム２０を押さえて、第２挟持アーム２０が第１挟持アーム１０に対して旋回して、第１挟持ブロック１３と第２挟持ブロック２３が互いに近接して、品物を挟むことが可能である。
【００２０】
図５を参照する。図５に示すように、デジタル製品であるデジタルカメラ２００は、固定ユニット４０を介して、挟持具１００の第２挟持アーム２０に固定されている。上記の調整動作により、挟持具１００は、第１挟持ブロック１３の挟持面１３１と第２挟持ブロック２３の挟持面２３１がプレート３００の両面に押付ける。このように、挟持具１００により、プレート３００にデジタルカメラ２００を安定的に固定することが可能であり、デジタルカメラ２００が外力を受けても揺れることはない。もちろん、第１挟持ブロック１３の挟持面１３１と第２挟持ブロック２３の挟持面２３１の挟持対象物は、プレート３００に限定されず、それに類似するもの（例えば矩形の断面形状を有するチューブ）であってもよい。
【００２１】
図６を参照する。本実施形態の挟持具１００は、チューブ４００を挟むことが可能である。挟持具１００は、第１挟持ブロック１３のＸ字形を呈する挟持溝１３２と第２挟持ブロック２３のＸ字形を呈する挟持溝２３２がチューブ４００に押付ける。挟持溝１３２と挟持溝２３２により、挟持具１００はブロック状を呈するものを挟むことが可能である。第１挟持ブロック１３と第２挟持ブロック２３は、回転することが可能であるため、操作が極めて便利である。
【００２２】
図７を参照する。本実施形態の挟持具１００を収納したい場合いには、図７に示すように、第１挟持アーム１０に支持部５０を結合すると、挟持具１００の収納スペースを減少することが可能である。
【００２３】
このように、挟持具１００にデジタル製品を結合して、挟持具１００は、例えば円形の断面形状を有するチューブ、ブロック、プレート、又は矩形の断面形状を有するチューブを挟んで固定し、又はプラットフォームに置くことが可能であるため、適当の箇所にデジタル製品を安定的に固定することが可能である。
【００２４】
このように、本考案の実施形態を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施形態に変更、追加、または、削除を施してもよいことがわかる。
【００２５】
本考案は、デジタル製品に適用することができる。
【符号の説明】
【００２６】
１０  第１挟持アーム、
１０ａ、１０ｂ  金属シート、
１１  第１端部、
１２  連接端、
１３  第１挟持ブロック、
１４  結合軸、
１５  ブッシュ、
２０  第２アーム、
２０ａ、２０ｂ  金属シート、
２１  第２端部、
２２  枢着端、
２３  第２挟持ブロック、
２４  位置決め軸、
２５  結合部、
３０  調整ねじ、
３１  調整ハンドル、
３２  位置決めナット、
４０  固定ユニット、
４１  スリーブ、
４２  ボールスタッド、
４３  位置決めユニット、
４４  第１固定ボルト、
４５  固定リング、
４６  第１ねじ部材、
４７  第２ねじ部材、
４８  載置部材、
４９  第２固定ボルト、
５０  支持部、
５１  溝、
５２  位置決め溝、
１００  挟持具、
１３１  挟持面、
１３２  挟持溝、
１５１  ねじ穴、
２００  デジタルカメラ、
２３１  挟持面、
２３２  挟持溝、
２５１  ねじ軸、
３００  プレート、
４００  チューブ、
４１１  欠け口、
４２１  ボール部、
４２２  ねじ穴、
４３１  凹部、
４３２  環状係止溝、
４４２  螺子部、
４５１  ねじ穴、
４８１  貫通孔。
【図１】
0003191122.tif 000003
【図２】
0003191122.tif 000004
【図３】
0003191122.tif 000005
【図４】
0003191122.tif 000006
【図５】
0003191122.tif 000007
【図６】
0003191122.tif 000008
【図７】
0003191122.tif 000009